(57)【特許請求の範囲】
【請求項１】
被表示ピクチャを取得することと、
前記被表示ピクチャの属するピクチャのタイプを確定することと、
端末が現在採用している、それぞれが自身にマッチしているピクチャのタイプを有する現在色域モードを取得することと、
前記被表示ピクチャの属するピクチャのタイプと前記現在色域モードがマッチしない場合、前記現在色域モードを前記被表示ピクチャの属するピクチャのタイプにマッチしている色域モードに切り替えることと、を含み、
前記被表示ピクチャの属するピクチャのタイプを確定することは、
前記被表示ピクチャに対してフーリエ変換を行って、周波数分布関数を取得し、
前記周波数分布関数によって、周波数分布関数において同じ周波数が占める比率を示す同じ周波数情報の比率を取得することと、
前記同じ周波数情報の比率が事前設定の閾値より低い場合、前記被表示ピクチャの属するピクチャのタイプを自然ピクチャに確定し、前記同じ周波数情報の比率が前記事前設定の閾値より高い場合、前記被表示ピクチャの属するピクチャのタイプを合成ピクチャに確定することを含み、
前記被表示ピクチャの属するピクチャのタイプと前記現在色域モードがマッチしない場合、前記現在色域モードを前記被表示ピクチャの属するピクチャのタイプにマッチしている色域モードに切り替えることは、
前記被表示ピクチャの属するピクチャのタイプが自然ピクチャであり、前記現在色域モードが広色域モードである場合、両者がマッチしないと判定し、前記広色域モードを前記被表示ピクチャの属するピクチャのタイプにマッチしている標準の赤緑青ｓＲＧＢモードに切り替えることと、又は、
前記被表示ピクチャの属するピクチャのタイプが合成ピクチャであり、前記現在色域モードがｓＲＧＢモードである場合、両者がマッチしないと判定し、前記ｓＲＧＢモードを前記被表示ピクチャの属するピクチャのタイプにマッチしている広色域モードに切り替えることとを含む、
ことを特徴とする色域モード切り替え方法。
【請求項２】
前記広色域モードを前記被表示ピクチャの属するピクチャのタイプにマッチしているｓＲＧＢモードに切り替えた後、現在取得された被表示ピクチャの属するピクチャのタイプが合成ピクチャであると確定すれば、前記ｓＲＧＢモードを前記広色域モードに切り替えることをさらに含むことを特徴とする請求項１に記載の色域モード切り替え方法。
【請求項３】
前記ｓＲＧＢモードを前記被表示ピクチャの属するピクチャのタイプにマッチしている広色域モードに切り替えた後、現在取得された被表示ピクチャの属するピクチャのタイプが自然ピクチャであると確定すれば、前記広色域モードを前記ｓＲＧＢモードに切り替えることをさらに含むことを特徴とする請求項１に記載の色域モード切り替え方法。
【請求項４】
被表示ピクチャを取得するように構成されたピクチャ取得モジュールと、
前記ピクチャ取得モジュールにより取得された前記被表示ピクチャの属するピクチャのタイプを確定するように構成された確定モジュールと、
端末が現在採用している、それぞれが自身にマッチしているピクチャのタイプを有する現在色域モードを取得するように構成されたモード取得モジュールと、
前記確定モジュールにより確定された前記被表示ピクチャの属するピクチャのタイプと前記モード取得モジュールにより取得された前記現在色域モードがマッチしない場合、前記現在色域モードを前記被表示ピクチャの属するピクチャのタイプにマッチしている色域モードに切り替えるように構成された切り替えモジュールと、を含み、
前記確定モジュールは、
前記被表示ピクチャに対してフーリエ変換を行って、周波数分布関数を取得し、前記周波数分布関数によって、周波数分布関数において同じ周波数が占める比率を示す同じ周波数情報の比率を取得するように構成された変換サブモジュールと、
前記変換サブモジュールにより取得された前記同じ周波数情報の比率が事前設定の閾値より低い場合、前記被表示ピクチャの属するピクチャのタイプを自然ピクチャに確定し、前記同じ周波数情報の比率が前記事前設定の閾値より高い場合、前記被表示ピクチャの属するピクチャのタイプを合成ピクチャに確定するように構成された確定サブモジュールと、を含み、
前記切り替えモジュールは、
前記被表示ピクチャの属するピクチャのタイプが自然ピクチャであり、前記現在色域モードが広色域モードである場合、両者がマッチしないと判定し、前記広色域モードを前記被表示ピクチャの属するピクチャのタイプにマッチしている標準の赤緑青ｓＲＧＢモードに切り替えるように構成された第１切り替えサブモジュールと、又は、
前記被表示ピクチャの属するピクチャのタイプが合成ピクチャであり、前記現在色域モードがｓＲＧＢモードである場合、両者がマッチしないと判定し、前記ｓＲＧＢモードを前記被表示ピクチャの属するピクチャのタイプにマッチしている広色域モードに切り替えるように構成された第２切り替えサブモジュールとを含む、
ことを特徴とする色域モード切り替え装置。
【請求項５】
前記切り替えモジュールは、
前記第１切り替えサブモジュールにより前記広色域モードを前記被表示ピクチャの属するピクチャのタイプにマッチしているｓＲＧＢモードに切り替えた後、現在取得された被表示ピクチャの属するピクチャのタイプが合成ピクチャであると確定すれば、前記ｓＲＧＢモードを前記広色域モードに切り替えるように構成された第３切り替えサブモジュールをさらに含むことを特徴とする請求項４に記載の色域モード切り替え装置。
【請求項６】
前記切り替えモジュールは、
前記第２切り替えサブモジュールにより前記ｓＲＧＢモードを前記被表示ピクチャの属するピクチャのタイプにマッチしている広色域モードに切り替えた後、現在取得された被表示ピクチャの属するピクチャのタイプが自然ピクチャであると確定すれば、前記広色域モードを前記ｓＲＧＢモードに切り替えるように構成された第４切り替えサブモジュールをさらに含むことを特徴とする請求項４に記載の色域モード切り替え装置。
【請求項７】
被表示ピクチャを取得し、
前記被表示ピクチャの属するピクチャのタイプを確定し、
端末が現在採用している、それぞれが自身にマッチしているピクチャのタイプを有する現在色域モードを取得し、
前記被表示ピクチャの属するピクチャのタイプと前記現在色域モードがマッチしない場合、前記現在色域モードを前記被表示ピクチャの属するピクチャのタイプにマッチしている色域モードに切り替えるように構成されたプロセッサと、
プロセッサにより実行可能なコマンドを記憶するためのメモリと、を含み、
前記被表示ピクチャの属するピクチャのタイプを確定することは、
前記被表示ピクチャに対してフーリエ変換を行って、周波数分布関数を取得し、
前記周波数分布関数によって、周波数分布関数において同じ周波数が占める比率を示す同じ周波数情報の比率を取得することと、
前記同じ周波数情報の比率が事前設定の閾値より低い場合、前記被表示ピクチャの属するピクチャのタイプを自然ピクチャに確定し、前記同じ周波数情報の比率が前記事前設定の閾値より高い場合、前記被表示ピクチャの属するピクチャのタイプを合成ピクチャに確定することを含み、
前記被表示ピクチャの属するピクチャのタイプと前記現在色域モードがマッチしない場合、前記現在色域モードを前記被表示ピクチャの属するピクチャのタイプにマッチしている色域モードに切り替えることは、
前記被表示ピクチャの属するピクチャのタイプが自然ピクチャであり、前記現在色域モードが広色域モードである場合、両者がマッチしないと判定し、前記広色域モードを前記被表示ピクチャの属するピクチャのタイプにマッチしている標準の赤緑青ｓＲＧＢモードに切り替えることと、又は、
前記被表示ピクチャの属するピクチャのタイプが合成ピクチャであり、前記現在色域モードがｓＲＧＢモードである場合、両者がマッチしないと判定し、前記ｓＲＧＢモードを前記被表示ピクチャの属するピクチャのタイプにマッチしている広色域モードに切り替えることとを含むことを特徴とする色域モード切り替え装置。
【発明の詳細な説明】
【技術分野】
【０００１】
本願は出願番号がＣＮ２０１５１０４５０９４２．４であり、出願日が２０１５年０７月２８日である中国特許出願に基づいて提出され、該中国特許出願の優先権を主張し、該中国特許出願の全ての内容はここで参考として本願に援用される。
【０００２】
本発明は通信技術分野に関し、特に色域モードの切り替え方法及び装置に関する。
【背景技術】
【０００３】
色域（Ｃｏｌｏｒ  Ｇａｍｕｔ）はある設備が表現可能な色の数により構成された範囲の領域を示し、即ちさまざまなスクリーン表示設備、プリンター又は印刷設備における表現可能な色の範囲である。現在、移動端末例えば携帯電話のスクリーンの色域が広くなり、色のカバー率が全米テレビジョン放送方式標準化委員会（Ｎａｔｉｏｎａｌ  Ｔｅｌｅｖｉｓｉｏｎ  Ｓｔａｎｄａｒｄｓ  Ｃｏｍｍｉｔｔｅｅ、ＮＴＳＣ）が制定した色範囲の１００％に達しさらに超えるものがある。
【０００４】
しかし、現在のインターネット伝送標準色域は標準の赤緑青（ｓｔａｎｄａｒｄ  Ｒｅｄ  Ｇｒｅｅｎ  Ｂｌｕｅ、ｓＲＧＢ）であり、ｓＲＧＢの色域はＮＴＳＣが制定した色範囲の７０．８％であり、カメラ又はビデオカメラが生成した画像の大部分はこの色域範囲にある。しかし、ユーザーの様々な要求に対し、ピクチャに異なる表示効果を得る必要があり、例えばオンラインマーケットにおける洋服を見るとき、洋服などのピクチャ又は写真の色が歪むという状況が発生し、色域の切り替えを行わなければ、ユーザーの見たピクチャは色が歪みのピクチャとなる。従って、ユーザーの異なる要求に基づき、異なる色域モードを確定しなければならない。
【発明の概要】
【発明が解決しようとする課題】
【０００５】
本発明の実施例は、異なるピクチャに対し異なる色域モードを採用することを実現するために、色域モードの切り替え方法及び装置を提供する。
【課題を解決するための手段】
【０００６】
本発明の実施例の第１態様によれば、
被表示ピクチャを取得することと、
前記被表示ピクチャの属するピクチャのタイプを確定することと、
端末が現在採用している、それぞれが自身にマッチしているピクチャのタイプを有する現在色域モードを取得することと、
前記被表示ピクチャの属するピクチャのタイプと前記現在色域モードがマッチしない場合、前記現在色域モードを前記被表示ピクチャの属するピクチャのタイプにマッチしている色域モードに切り替えることと、を含む色域モード切り替え方法を提供している。
【０００７】
一つの実施例において、前記被表示ピクチャの属するピクチャのタイプを確定することは、
前記被表示ピクチャの周波数情報に基づき前記被表示ピクチャの属するピクチャのタイプを確定することを含む。
一つの実施例において、前記被表示ピクチャの周波数情報に基づき前記被表示ピクチャの属するピクチャのタイプを確定することは、
前記周波数情報を取得するために、前記被表示ピクチャに対してフーリエ変換を行うことと、
前記周波数情報と事前設定の閾値の関係に基づき、前記被表示ピクチャの属するピクチャのタイプを確定することとを含み、
前記ピクチャのタイプは自然ピクチャと合成ピクチャを含み、前記自然ピクチャにおける同じ周波数情報の比例が前記事前設定の閾値より低く、前記合成ピクチャにおける同じ周波数情報の比例が前記事前設定の閾値より高い。
【０００８】
一つの実施例において、前記被表示ピクチャの属するピクチャのタイプと前記現在色域モードがマッチしない場合、前記現在色域モードを前記被表示ピクチャの属するピクチャのタイプにマッチしている色域モードに切り替えることは、
前記被表示ピクチャの属するピクチャのタイプが自然ピクチャであり、前記現在色域モードが広色域モードである場合、両者がマッチしないと判定し、前記広色域モードを前記被表示ピクチャの属するピクチャのタイプにマッチしている標準の赤緑青ｓＲＧＢモードに切り替えることと、又は
前記被表示ピクチャの属するピクチャのタイプが合成ピクチャであり、前記現在色域モードがｓＲＧＢモードである場合、両者がマッチしないと判定し、前記ｓＲＧＢモードを前記被表示ピクチャの属するピクチャのタイプにマッチしている広色域モードに切り替えることと、を含む。
【０００９】
一つの実施例において、前記方法は、
前記広色域モードを前記被表示ピクチャの属するピクチャのタイプにマッチしているｓＲＧＢモードに切り替えた後、現在取得された被表示ピクチャの属するピクチャのタイプが合成ピクチャであると確定すれば、前記ｓＲＧＢモードを前記広色域モードに切り替えることをさらに含む。
【００１０】
一つの実施例において、前記方法は、
前記ｓＲＧＢモードを前記被表示ピクチャの属するピクチャのタイプにマッチしている広色域モードに切り替えた後、現在取得された被表示ピクチャの属するピクチャのタイプが自然ピクチャであると確定すれば、前記広色域モードを前記ｓＲＧＢモードに切り替えることをさらに含む。
【００１１】
本発明の実施例の第２態様によれば、
被表示ピクチャを取得するように構成されたピクチャ取得モジュールと、
前記ピクチャ取得モジュールにより取得された前記被表示ピクチャの属するピクチャのタイプを確定するように構成された確定モジュールと、
端末が現在採用している、それぞれが自身にマッチしているピクチャのタイプを有する現在色域モードを取得するように構成されたモード取得モジュールと、
前記確定モジュールにより確定された前記被表示ピクチャの属するピクチャのタイプと前記モード取得モジュールにより取得された前記現在色域モードがマッチしない場合、前記現在色域モードを前記被表示ピクチャの属するピクチャのタイプにマッチしている色域モードに切り替えるように構成された切り替えモジュールと、を含む色域モード切り替え装置を提供している。
【００１２】
一つの実施例において、前記確定モジュールは、
前記被表示ピクチャの周波数情報に基づき前記被表示ピクチャの属するピクチャのタイプを確定するように構成された。
【００１３】
一つの実施例において、前記確定モジュールは、
前記周波数情報を取得するために、前記被表示ピクチャに対してフーリエ変換を行うように構成された変換サブモジュールと、
前記変換サブモジュールにより取得された前記周波数情報と事前設定の閾値の関係に基づき、前記被表示ピクチャの属するピクチャのタイプを確定するように構成された確定サブモジュールと、を含み、
前記ピクチャのタイプは自然ピクチャと合成ピクチャを含み、前記自然ピクチャにおける同じ周波数情報の比例が前記事前設定の閾値より低く、前記合成ピクチャにおける同じ周波数情報の比例が前記事前設定の閾値より高い。
【００１４】
一つの実施例において、前記切り替えモジュールは、
前記被表示ピクチャの属するピクチャのタイプが自然ピクチャであり、前記現在色域モードが広色域モードである場合、両者がマッチしないと判定し、前記広色域モードを前記被表示ピクチャの属するピクチャのタイプにマッチしている標準の赤緑青ｓＲＧＢモードに切り替えるように構成された第１切り替えサブモジュールと、又は
前記被表示ピクチャの属するピクチャのタイプが合成ピクチャであり、前記現在色域モードがｓＲＧＢモードである場合、両者がマッチしないと判定し、前記ｓＲＧＢモードを前記被表示ピクチャの属するピクチャのタイプにマッチしている広色域モードに切り替えるように構成された第２切り替えサブモジュールと、を含む。
【００１５】
一つの実施例において、前記切り替えモジュールは、
前記第１切り替えサブモジュールにより前記広色域モードを前記被表示ピクチャの属するピクチャのタイプにマッチしているｓＲＧＢモードに切り替えた後、現在取得された被表示ピクチャの属するピクチャのタイプが合成ピクチャであると確定すれば、前記ｓＲＧＢモードを前記広色域モードに切り替えるように構成された第３切り替えサブモジュールをさらに含む。
【００１６】
一つの実施例において、前記切り替えモジュールは、
前記第２切り替えサブモジュールにより前記ｓＲＧＢモードを前記被表示ピクチャの属するピクチャのタイプにマッチしている広色域モードに切り替えた後、現在取得された被表示ピクチャの属するピクチャのタイプが自然ピクチャであると確定すれば、前記広色域モードを前記ｓＲＧＢモードに切り替えるように構成された第４切り替えサブモジュールをさらに含む。
【００１７】
本発明の実施例の第３態様によれば、
被表示ピクチャを取得し、
前記被表示ピクチャの属するピクチャのタイプを確定し、
端末が現在採用している、それぞれが自身にマッチしているピクチャのタイプを有する現在色域モードを取得し、
前記被表示ピクチャの属するピクチャのタイプと前記現在色域モードがマッチしない場合、前記現在色域モードを前記被表示ピクチャの属するピクチャのタイプにマッチしている色域モードに切り替えるように構成されたプロセッサと、
プロセッサにより実行可能なコマンドを記憶するためのメモリと、を含む色域モードの切り替え装置を提供している。
【発明の効果】
【００１８】
本発明の実施例により提供される技術案は、下記有益な効果を含む。
【００１９】
被表示ピクチャを取得し、被表示ピクチャの属するピクチャのタイプを確定し、ピクチャのタイプと現在色域モードがマッチしない場合、現在色域モードを被表示ピクチャの属するピクチャのタイプにマッチしている色域モードに切り替えることにより、切り替えの過程全体が自動的に実現し、ユーザーが専門的な知識を有する必要がなく、実現しやすく、同時に、ピクチャのタイプに基づきマッチしている色域モードを採用し画像を表示することで、表示されたピクチャがユーザーの望ましい色を有し、ユーザーの使用体験を向上させる。
【００２０】
理解すべきことは、以上の一般的な説明と後述の詳細な説明は例示的及び解釈的なものに過ぎず、本発明を限定するものではない。
【図面の簡単な説明】
【００２１】
ここの図面は明細書に合せられ本明細書の一部を構成し、本発明に適合する実施例を示し、明細書と共に本発明の原理を解釈するのに用いられる。
【００２２】
【図１】一例示的な実施例により示された色域モード切り替え方法のフローチャートである。
【図２ａ】一例示的な実施例により示された合成写真の模式図である。
【図２ｂ】一例示的な実施例により示された別の合成写真の模式図である。
【図３】一例示的な実施例により示された色域モード切り替え方法のシーングラフである。
【図４】一例示的な実施例により示された別の色域モード切り替え方法のフローチャートである。
【図５】一例示的な実施例により示された別の色域モード切り替え方法のフローチャートである。
【図６】一例示的な実施例により示された別の色域モード切り替え方法のフローチャートである。
【図７】一例示的な実施例により示された別の色域モード切り替え方法のフローチャートである。
【図８】一例示的な実施例により示された色域モード切り替え装置のブロック図である。
【図９】一例示的な実施例により示された別の色域モード切り替え装置のブロック図である。
【図１０ａ】一例示的な実施例により示された別の色域モード切り替え装置のブロック図である。
【図１０ｂ】一例示的な実施例により示された別の色域モード切り替え装置のブロック図である。
【図１１ａ】一例示的な実施例により示された別の色域モード切り替え装置のブロック図である。
【図１１ｂ】一例示的な実施例により示された別の色域モード切り替え装置のブロック図である。
【図１２】一例示的な実施例により示された色域モード切り替え装置に適用されるブロック図である。
【発明を実施するための形態】
【００２３】
ここで例示的な実施例について詳しく説明し、その実例は図面に示す通りである。下記の説明が図面に関わるとき、別途に表示されない限り、異なる図面における同じ数字は同一又は類似する要素を表示する。以下の例示的な実施例に説明される実施形態は本発明と一致する全ての実施形態を表すわけではない。逆に、それらは特許請求の範囲に詳細に記載された本発明の一部の態様と一致する装置と方法の例に過ぎない。
【００２４】
図１は、一例示的な実施例により示された色域モードの切り替え方法のフローチャートであり、図１に示すように、該色域モードの切り替え方法は、携帯電話、タブレットパソコンなどの端末に応用し、該実施例は以下のステップＳ１００〜Ｓ１０３を含むことができる。
【００２５】
ステップＳ１００において、被表示ピクチャを取得する。
該実施例において、端末はサーバーから被表示ピクチャを取得でき、ローカルから被表示ピクチャを取得することもできる。例えば、ユーザーがオンラインマーケットにおけるある洋服をクリックして調べるとき、端末はサーバーから返信した被表示洋服のピクチャを取得することができる。また、例えば、ユーザーがローカルに保存した撮影取得したピクチャをクリックして調べるとき、端末はローカルアルバムから該ピクチャを取得することができる。
【００２６】
ステップＳ１０１において、被表示ピクチャの属するピクチャのタイプを確定する。
【００２７】
そのうち、上記ピクチャのタイプは自然ピクチャ及び合成ピクチャを含むことができる。
【００２８】
自然ピクチャの特徴はピクチャ画像のデータグレースケール値が不規則であり、合成ピクチャの隣接している画素のグレースケール値がいずれも比較的に明らかな特徴、例えば漸変、同一又は一定の大きさのジャンプなどを有することであり、図２ａ〜図２ｂに示すようなピクチャは合成ピクチャであり、且つそれらの隣接している画素のグレースケール値は比較的に明らかな特徴を有する。
【００２９】
ピクチャに対してフーリエ変換を行ってピクチャのグレースケール分布関数を周波数分布関数に変換することができる。自然ピクチャに対して、フーリエ変換によって取得した周波数情報はランダムであり、明らかな規則がなく、即ち同じ周波数情報の比例が事前設定の閾値より低い。合成ピクチャがフーリエ変換によって得た周波数情報において、同じ周波数情報の比例が事前設定の閾値より高い。従って、被表示ピクチャの周波数情報に基づき被表示ピクチャの属するピクチャのタイプを確定することができる。
【００３０】
例えば、被表示ピクチャの周波数情報を取得するために、被表示ピクチャに対してフーリエ変換を行い、その後周波数情報と事前設定の閾値との関係に基づき、被表示ピクチャが自然ピクチャであるか合成ピクチャであるかを確定する。
【００３１】
ステップＳ１０２において、端末が現在採用している現在色域モードを取得し、色域モードのそれぞれが自身にマッチしているピクチャのタイプを有する。
【００３２】
該実施例において、端末は広色域モードを支持でき、ｓＲＧＢモードを支持することもできる。このステップは端末が現在採用している現在色域モードを確定する必要がある。
【００３３】
広色域モードにとって、それにマッチしているピクチャのタイプは合成ピクチャであり、ｓＲＧＢモードにとって、それにマッチしているピクチャのタイプは自然ピクチャである。
【００３４】
ステップＳ１０３において、被表示ピクチャの属するピクチャのタイプと現在色域モードがマッチしない場合、現在色域モードを被表示ピクチャの属するピクチャのタイプにマッチしている色域モードに切り替える。
【００３５】
該実施例において、被表示ピクチャの属するピクチャのタイプを現在色域モードにマッチし、両者がマッチしない場合、現在色域モードを被表示ピクチャの属するピクチャのタイプにマッチしている色域モードに切り替え、両者がマッチしている場合、色域モードを切り替える必要がない。
【００３６】
例えば、ピクチャのタイプが自然ピクチャであり、現在色域モードが広色域モードであるとき、ピクチャのタイプと現在色域モードがマッチしないため、広色域モードをｓＲＧＢモードに切り替えることができる。
【００３７】
また、例えば、ピクチャのタイプが合成ピクチャであり、現在色域モードがｓＲＧＢモードであるとき、ピクチャのタイプと現在色域モードがマッチしないため、ｓＲＧＢモードを広色域モードに切り替えることができる。
【００３８】
以下、図３に合わせて本開示に対して例示的な説明を行い、図３に示すように、ユーザーが携帯電話３１を用いてオンラインマーケット、例えばシャオミオンラインマーケットにおける洋服を見て、ユーザーがある洋服に対して興味を持ったとき、該洋服のページにクリックして入ることができ、ユーザーが該洋服をクリックするとき、携帯電話３１がオンラインマーケットのサーバー３２に要求を送信し、サーバー３２が該要求に基づき洋服のピクチャを含むページを返し、携帯電話３１が洋服のピクチャを取得した後、洋服のピクチャを自然ピクチャと確定し、携帯電話３１が現在採用している色域モードは広色域モードであることを取得し、自然ピクチャは自然界において実際に存在しているピクチャであるため、できる限り正確な表示を行い、即ちユーザーは色収差のない洋服を見たいから、携帯電話３１は自然ピクチャと広色域モードがマッチしないことを確定した後、広色域モードをｓＲＧＢモードに切り替え、その後切り替えた後のｓＲＧＢモードを使用し洋服のピクチャを表示し、このとき表示した洋服のピクチャは色収差がなく、ユーザーがこの洋服を購買するか否かに対する判断の根拠を提供することができ、ユーザーの使用体験を向上させる。
【００３９】
上記色域モード切り替え方法の実施例では、被表示ピクチャを取得し、被表示ピクチャの属するピクチャのタイプを確定し、ピクチャのタイプと現在色域モードがマッチしない場合、現在色域モードを被表示ピクチャの属するピクチャのタイプにマッチしている色域モードに切り替えることにより、切り替えの過程全体が自動的に実現し、ユーザーが専門的な知識を有する必要がなく、実現しやすく、同時に、ピクチャのタイプに基づきマッチしている色域モードを採用しピクチャを表示することで、表示したピクチャがユーザーの望ましい色を有し、ユーザーの使用体験を向上させる。
【００４０】
図４は、一例示的な実施例により示された別の色域モード切り替え方法のフローチャートであり、該方法は携帯電話に応用し、該携帯電話が現在採用している色域モードは広色域モードであり、図４に示すように、該色域モード切り替え方法は、
被表示ピクチャを取得するステップＳ４０１と、
被表示ピクチャの周波数情報を取得するために、被表示ピクチャに対してフーリエ変換を行うステップＳ４０２と、
被表示ピクチャの周波数情報と事前設定の閾値の関係に基づき、被表示ピクチャが自然ピクチャであるか合成ピクチャであるかを確定し、自然ピクチャである場合、ステップＳ４０４を実行し、合成ピクチャである場合、ステップＳ４０５を実行するステップＳ４０３と、
広色域モードをｓＲＧＢモードに切り替え、ｓＲＧＢモードを採用し被表示ピクチャを表示するステップＳ４０４と、
広色域モードを採用し被表示ピクチャを表示するステップＳ４０５と、を含む。
【００４１】
上記色域モード切り替え方法の実施例は、被表示ピクチャに対してフーリエ変換を行うことにより、被表示ピクチャの周波数情報を取得し、被表示ピクチャの周波数情報と事前設定の閾値の関係に基づき被表示ピクチャの属するピクチャのタイプを確定し、自然ピクチャと合成ピクチャの特徴を十分に利用して被表示ピクチャの属するピクチャのタイプを確定することを実現し、実現しやすく且つ正確率が高い。そして、被表示ピクチャが自然ピクチャであることを確定した後、広色域モードをｓＲＧＢモードに切り替え、ｓＲＧＢモードを採用し被表示ピクチャを表示することで、表示されたピクチャが正確な色を有し、ユーザーの使用体験を向上させる。
【００４２】
図５は、一例示的な実施例により示された別の色域モード切り替え方法のフローチャートであり、図５に示すように、ステップＳ４０４の後、該方法は、
ローカルから画像を取得するステップＳ４０６と、
該ピクチャが合成ピクチャであることを確定し、ｓＲＧＢモードを広色域モードに切り替え、広色域モードを採用しピクチャを表示するステップＳ４０７と、をさらに含む。
【００４３】
上記色域モード切り替え方法の実施例は、該ピクチャが合成ピクチャであることを確定した後、ｓＲＧＢモードを広色域モードに切り替え、広色域モードを採用し画像を表示することで、表示された画像が鮮やかな色を有し、ユーザーの使用体験を向上させる。
【００４４】
図６は、一例示的な実施例により示されたもう一つの色域モード切り替え方法のフローチャートであり、該方法は携帯電話に応用し、該携帯電話が現在採用している色域モードはｓＲＧＢモードであり、図６に示すように、該色域モード切り替え方法は、
被表示ピクチャを取得するステップＳ６０１と、
被表示ピクチャの周波数情報を取得するために、被表示ピクチャに対してフーリエ変換を行うステップＳ６０２と、
被表示ピクチャの周波数情報と事前設定の閾値の関係に基づき、被表示ピクチャが自然ピクチャであるか合成ピクチャであるかを確定し、自然ピクチャである場合、ステップＳ６０４を実行し、合成ピクチャである場合、ステップＳ６０５を実行するステップＳ６０３と、
ｓＲＧＢモードを採用し被表示ピクチャを表示するステップＳ６０４と、
ｓＲＧＢモードを広色域モードに切り替え、広色域モードを採用し被表示ピクチャを表示するステップＳ６０５と、を含む。
【００４５】
上記色域モード切り替え方法の実施例は、被表示ピクチャに対してフーリエ変換を行うことにより、被表示ピクチャの周波数情報を取得し、被表示ピクチャの周波数情報に基づき被表示ピクチャの属するピクチャのタイプを確定し、自然ピクチャと合成ピクチャの特徴を十分に利用して被表示ピクチャの属するピクチャのタイプを確定することを実現し、実現しやすく且つ正確率が高い。そして、被表示ピクチャが合成ピクチャであることを確定した後、ｓＲＧＢモードを広色域モードに切り替え、広色域モードを採用し被表示ピクチャを表示することで、表示されたピクチャが鮮やかな色を有し、ユーザーの使用体験を向上させる。
【００４６】
図７は、一例示的な実施例により示されたもう一つの色域モード切り替え方法のフローチャートであり、図７に示すように、ステップＳ６０５の後、該方法は、
ローカルから画像を取得するステップＳ６０６と、
該ピクチャが自然ピクチャであることを確定し、広色域モードをｓＲＧＢモードに切り替え、ｓＲＧＢモードを採用しピクチャを表示するステップＳ６０７と、をさらに含む。
上記色域モード切り替え方法の実施例は、該ピクチャが自然ピクチャであることを確定した後、広色域モードをｓＲＧＢモードに切り替え、ｓＲＧＢモードを採用し画像を表示することで、表示されたピクチャが正確な色を有し、ユーザーの使用体験を向上させる。
【００４７】
上記色域モード切り替え方法の実施例に対し、本発明はさらに色域モード切り替え装置の実施例を提供する。
【００４８】
図８は、一例示的な実施例により示された色域モード切り替え装置のブロック図であり、図８に示すように、該色域モード切り替え装置は、
被表示ピクチャを取得するように構成されたピクチャ取得モジュール８０と、
ピクチャ取得モジュール８０により取得された被表示ピクチャの属するピクチャのタイプを確定するように構成された確定モジュール８１と、
端末が現在採用している、それぞれが自身にマッチしているピクチャのタイプを有する現在色域モードを取得するように構成されたモード取得モジュール８２と、
確定モジュール８１により確定された被表示ピクチャの属するピクチャのタイプとモード取得モジュール８２により取得された現在色域モードがマッチしない場合、現在色域モードを被表示ピクチャの属するピクチャのタイプにマッチしている色域モードに切り替えるように構成された切り替えモジュール８３と、を含む。
【００４９】
そのうち、確定モジュール８１は、被表示ピクチャの周波数情報に基づき、被表示ピクチャの属するピクチャのタイプを確定するように構成されたことができる。
【００５０】
図８に示すような色域モード切り替え装置により色域の切り替えを完成する過程については、図１を参照することができ、ここではその説明を省略する。
【００５１】
上記色域モード切り替え装置の実施例は、取得モジュールにより被表示ピクチャを取得し、確定モジュールにより被表示ピクチャの属するピクチャのタイプを確定し、切り替えモジュールにより、ピクチャのタイプと現在色域モードがマッチしない場合、現在色域モードを被表示ピクチャの属するピクチャのタイプにマッチしている色域モードに切り替え、切り替えの過程全体が自動的に実現し、ユーザーが専門的な知識を有する必要がなく、実現しやすく、同時に、ピクチャのタイプに基づきマッチしている色域モードを採用しピクチャを表示することで、表示された画像がユーザーの望ましい色を有し、ユーザーの使用体験を向上させる。
【００５２】
図９は、一例示的な実施例により示された別の色域モード切り替え装置のブロック図であり、図９に示すように、上記図８に示すような実施例を基に、確定モジュール８１は、
周波数情報を取得するために、被表示ピクチャに対してフーリエ変換を行うように構成された変換サブモジュール８１１と、
変換サブモジュール８１１により取得された周波数情報と事前設定の閾値の関係に基づき、被表示ピクチャの属するピクチャのタイプを確定するように構成された確定サブモジュール８１２と、を含むことができ、
上記ピクチャのタイプは自然ピクチャと合成ピクチャを含み、自然ピクチャにおける同じ周波数情報の比例が事前設定の閾値より低く、合成ピクチャにおける同じ周波数情報の比例が事前設定の閾値より高い。
【００５３】
図９に示すような色域モード切り替え装置により色域の切り替えを完成する過程については、図１、図４又は図６の対応部分を参照することができ、ここではその説明を省略する。
【００５４】
上記色域モード切り替え装置の実施例は、変換サブモジュールにより被表示ピクチャに対してフーリエ変換を行い、被表示ピクチャの周波数情報を取得し、確定サブモジュールにより、被表示ピクチャの周波数情報と事前設定の閾値の関係に基づき、被表示ピクチャの属するピクチャのタイプを確定し、自然ピクチャと合成ピクチャの特徴を十分に利用して被表示ピクチャの属するピクチャのタイプを確定することを実現し、実現しやすく且つ正確性が高い。
【００５５】
図１０ａは、一例示的な実施例により示されたもう一つの色域モード切り替え装置のブロック図であり、図１０ａに示すように、上記図８に示すような実施例を基に、切り替えモジュール８３は、
被表示ピクチャの属するピクチャのタイプが自然ピクチャであり、現在色域モードが広色域モードである場合、両者がマッチしないと判定し、広色域モードを被表示ピクチャの属するピクチャのタイプにマッチしている標準の赤緑青ｓＲＧＢモードに切り替えるように構成された第１切り替えサブモジュール８３１を含むことができる。
【００５６】
図１０ａに示すような色域モード切り替え装置により色域の切り替えを完成する過程については、図１又は図４の対応部分を参照することができ、ここではその説明を省略する。
【００５７】
上記色域モード切り替え装置の実施例は、被表示ピクチャが自然ピクチャであることを確定した後、広色域モードをｓＲＧＢモードに切り替え、ｓＲＧＢモードを採用し被表示ピクチャを表示することで、表示された画像が正確な色を有し、ユーザーの使用体験を向上させる。
【００５８】
図１０ｂは、一例示的な実施例により示されたもう一つの色域モード切り替え装置のブロック図であり、図１０ｂに示すように、上記図８に示すような実施例を基に、切り替えモジュール８３は、
被表示ピクチャの属するピクチャのタイプが合成ピクチャであり、現在色域モードがｓＲＧＢモードである場合、両者がマッチしないと判定し、ｓＲＧＢモードを被表示ピクチャの属するピクチャのタイプにマッチしている広色域モードに切り替えるように構成された第２切り替えサブモジュール８３２を含むことができる。
【００５９】
図１０ｂに示すような色域モード切り替え装置により色域の切り替えを完成する過程については、図１又は図６の対応部分を参照することができ、ここではその説明を省略する。
【００６０】
上記色域モード切り替え装置の実施例は、被表示ピクチャが合成ピクチャであることを確定した後、ｓＲＧＢモードを広色域モードに切り替え、広色域モードを採用し被表示ピクチャを表示することで、表示された画像が鮮やかな色を有し、ユーザーの使用体験を向上させる。
【００６１】
図１１ａは、一例示的な実施例により示されたもう一つの色域モード切り替え装置のブロック図であり、図１１ａに示すように、上記図１０ａに示すような実施例を基に、切り替えモジュール８３は、
第１切り替えサブモジュール８３１により広色域モードを被表示ピクチャの属するピクチャのタイプにマッチしているｓＲＧＢモードに切り替えた後、現在取得された被表示ピクチャの属するピクチャのタイプが合成ピクチャであると確定すれば、ｓＲＧＢモードを広色域モードに切り替えるように構成された第３切り替えサブモジュール８３３をさらに含むことができる。
【００６２】
図１１ａに示すような色域モード切り替え装置により色域の切り替えを完成する過程については、図５の対応部分を参照することができ、ここではその説明を省略する。
【００６３】
上記色域モード切り替え装置の実施例は、被表示ピクチャが合成ピクチャであることを確定した後、ｓＲＧＢモードを広色域モードに切り替え、広色域モードを採用し被表示ピクチャを表示することで、表示された画像が鮮やかな色を有し、ユーザーの使用体験を向上させる。
【００６４】
図１１ｂは、一例示的な実施例により示されたもう一つの色域モード切り替え装置のブロック図であり、図１１ｂに示すように、上記図１０ｂに示すような実施例を基に、切り替えモジュール８３は、
第２切り替えサブモジュール８３２によりｓＲＧＢモードを被表示ピクチャの属するピクチャのタイプにマッチしている広色域モードに切り替えた後、現在取得された被表示ピクチャの属するピクチャのタイプが自然ピクチャであると確定すれば、広色域モードをｓＲＧＢモードに切り替えるように構成された第４切り替えサブモジュール８３４をさらに含むことができる。
【００６５】
図１１ｂに示すような色域モード切り替え装置により色域の切り替えを完成する過程については、図７の対応部分を参照することができ、ここではその説明を省略する。
【００６６】
上記色域モード切り替え装置の実施例は、被表示ピクチャが自然ピクチャであることを確定した後、広色域モードをｓＲＧＢモードに切り替え、ｓＲＧＢモードを採用し被表示ピクチャを表示することで、表示された画像が正確な色を有する。
【００６７】
上記実施例における装置について、そのうち各モジュール、サブモジュールの操作を実行する具体的な方式については既に該方法に関する実施例において詳しく説明したため、ここでは詳細に説明しない。
【００６８】
図１２は、一例示的な実施例により示された色域モード切り替え装置に適用されるブロック図である。例えば、装置１２００は携帯電話、コンピュータ、デジタル放送端末、メッセージ送受信設備、ゲームコンソール、タブレット型装置、医療設備、フィットネス装置、パーソナルデジタルアシスタント、飛行機などである。
【００６９】
図１２に示すように、装置１２００は、処理部材１２０２、メモリ１２０４、電源部材１２０６、マルチメディア部材１２０８、オーディオ部材１２１０、入力／出力（Ｉ／Ｏ）インターフェース１２１２、センサー部材１２１４、及び通信部材１２１６のうちの一つ又は複数の部材を含むことができる。
【００７０】
処理部材１２０２は、一般的に装置１２００の全体的操作、例えば、表示、電話呼び出し、データ通信、カメラ操作及び記録操作に関する操作を制御する。処理部材１２０２は、上記方法の全部又は一部のステップを完成するために、コマンドを実行する一つ又は複数のプロセッサ１２２０を含むことができる。さらに、処理部材１２０２はその他の部材とのインタラクションが容易であるように、一つ又は複数のモジュールを含むことができる。例えば、処理部材１２０２は、マルチメディア部材１２０８と処理部材１２０２とのインタラクションが容易であるように、マルチメディアモジュールを含むことができる。
【００７１】
メモリ１２０４は、装置１２００における操作をサポートするために、さまざまなタイプのデータを記憶するように構成される。これらのデータの実例は、装置１２００において操作される如何なるアプリケーション又は方法のコマンド、連絡先データ、電話帳データ、メッセージ、ピクチャ、ビデオなどを含む。メモリ１２０４は如何なるタイプの揮発性又は非揮発性メモリ又はそれらの組合せ、例えばスタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【００７２】
電源部材１２０６は装置１２００のさまざまな部材に対し電力を供給する。電源部材１２０６は電源管理システム、一つ又は複数の電源、及びその他の装置１２００に対する電力の生成、管理及び供給に関連する部材を含むことができる。
【００７３】
マルチメディア部材１２０８は、前記装置１２００とユーザーの間の出力インターフェースを提供するスクリーンを含む。一部の実施例において、スクリーンは液晶ディスプレイ（ＬＣＤ）とタッチパネル（ＴＰ）を含むことができる。スクリーンにタッチパネルが含まれる場合、スクリーンはユーザーからの入力信号を受信するために、タッチスクリーンで実現されることができる。タッチパネルは、タッチ、スワイプ及びタッチパネルにおけるジェスチャーを感知するために、一つ又は複数のタッチセンサーを含む。前記タッチセンサーは、タッチ又はスワイプ動作の境界を感知するとともに、前記タッチ又はスワイプ動作に関わる持続時間及び圧力を検出することができる。一部の実施例において、マルチメディア部材１２０８は、フロントカメラ及び／又はバックカメラを含む。装置１２００が操作モードである場合、例えば、撮影モード又はビデオモードである場合、フロントカメラ及び／又はバックカメラは外部のマルチメディアデータを受信することができる。各フロントカメラ及びバックカメラは、固定された光学レンズシステムであってもよく、又は焦点距離と光学ズーム能力を有する。
【００７４】
オーディオ部材１２１０は、オーディオ信号を出力及び／又は入力するように構成される。例えば、オーディオ部材１２１０は、マイクロフォン（ＭＩＣ）を含み、装置１２００が操作モードである場合、例えば、呼び出しモード、記録モード及び音声認識モードである場合、マイクロフォンは外部のオーディオ信号を受信するように構成される。受信されたオーディオ信号は、さらにメモリ１２０４に記憶され、又は通信部材１２１６を介して送信される。一部の実施例において、オーディオ部材１２１０は、さらにオーディオ信号を出力するスピーカーを含む。
【００７５】
Ｉ／Ｏインターフェース１２１２は、処理部材１２０２と周辺インターフェースモジュールとの間にインターフェースを提供し、上記周辺インターフェースモジュールは、キーボード、クリックホイール、ボタンなどであってもよい。これらのボタンは、ホームボタン、ボリュームボタン、スタートボタン及びロックボタンを含むことができるがこれに限定されない。
【００７６】
センサー部材１２１４は、装置１２００に対し各方面の状態評価を提供する一つ又は複数のセンサーを含む。例えば、センサー部材１２１４は、装置１２００のオン／オフ状態、部材の相対的位置決めを検出することができ、前記部材は、例えば、装置１２００のディスプレイ及びキーパッドであり、センサー部材１２１４は、さらに装置１２００又は装置１２００の一つの部材の位置変化、ユーザーと装置１２００との接触の有無、装置１２００の方角又は加速／減速及び装置１２００の温度変化を検出することができる。センサー部材１２１４は、近接センサーを含むことができ、如何なる物理的接触がないとき、近傍物体の存在を検出するように構成される。センサー部材１２１４は、さらにイメージングアプリケーションに用いられる光学センサー、例えば、ＣＭＯＳ又はＣＣＤイメージセンサーを含むことができる。一部の実施例において、該センサー部材１２１４は、さらに加速度センサー、ジャイロセンサー、磁気センサー、圧力センサー又は温度センサーを含むことができる。
【００７７】
通信部材１２１６は、装置１２００とその他の装置との有線又は無線による通信が容易であるように構成される。装置１２００は、通信標準に基づく無線ネットワーク、例えばＷｉＦｉ、２Ｇ又は３Ｇ、又はそれらの組合せにアクセスすることができる。一例示的な実施例において、通信部材１２１６は、放送チャネルを介して外部放送管理システムからの放送信号又は放送関連情報を受信する。一例示的な実施例において、前記通信部材１２１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）技術及びその他の技術に基づいて実現することができる。
【００７８】
例示的な実施例において、装置１２００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラー、マイクロコントローラー、マイクロプロセッサ又はその他の電子部品により実現することができ、上記方法を実行するのに用いられる。
例示的な実施例において、さらに、コマンドを含む非一時的なコンピュータ可読記憶媒体、例えば、コマンドを含むメモリ１２０４を提供し、上記方法を完成するために、上記コマンドは装置１２００のプロセッサ１２２０により実行することができる。例えば、前記非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【００７９】
当業者であれば、明細書を考慮しここに開示された発明を実践した後、本発明のその他の実施態様を容易に想到できる。本願は、本発明の如何なる変形、用途又は適応的変化を含むためのものであり、これらの変形、用途又は適応的変化は本発明の一般的な原理に準じ、本発明の開示されていない本技術分野における公知常識又は慣用の技術手段を含む。明細書と実施例は例示的なものに過ぎず、本発明の実際の範囲と精神は特許請求の範囲により与えられる。
【００８０】
理解すべきことは、本発明は既に上記のように説明され、図面に示された正確な構造に限定されず、その範囲を逸脱しない限りにおいて様々な修正や変更を行うことができる。本発明の範囲は特許請求の範囲のみにより限定される。
【図１】
0006363299.tif 000002
【図２ａ】
0006363299.tif 000003
【図２ｂ】
0006363299.tif 000004
【図３】
0006363299.tif 000005
【図４】
0006363299.tif 000006
【図５】
0006363299.tif 000007
【図６】
0006363299.tif 000008
【図７】
0006363299.tif 000009
【図８】
0006363299.tif 000010
【図９】
0006363299.tif 000011
【図１０ａ】
0006363299.tif 000012
【図１０ｂ】
0006363299.tif 000013
【図１１ａ】
0006363299.tif 000014
【図１１ｂ】
0006363299.tif 000015
【図１２】
0006363299.tif 000016